【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
前記ＵＥにおいて、受信されたペイロード内の基準信号を搬送するリソース要素の数を決定することによって前記ペイロードの前記基準信号に関連付けられる特性を識別することと、
前記ＵＥにおいて、前記受信されたペイロードの前記基準信号に関連付けられる前記識別された特性に基づいてペイロード構造を決定することと、
前記ＵＥにおいて、前記決定されたペイロード構造に基づいて、前記受信されたペイロードを復号することと
を備える方法。
【請求項２】
基準信号に関連付けられる特性と、ペイロード構造との間のマッピングを示すマッピング情報を受信することをさらに備え、ここにおいて、前記ペイロード構造は、前記受信されたマッピング情報にさらに基づいて決定される、請求項１に記載の方法。
【請求項３】
前記ペイロード構造は、
前記ペイロードに関連付けられる変調オーダ、
前記ペイロードに関連付けられるコーディングレート、
前記ペイロードがデータまたは制御情報を含むかどうかに関するインジケーション、
前記ペイロードを搬送する制御チャネルのタイプ、
前記ペイロードを搬送するデータチャネルのタイプ、
前記ペイロードが畳み込み符号化またはターボ符号化されたかどうかに関するインジケーション、
前記ペイロードのトラフィック対パイロット比、
前記ペイロードの送信ランク、
前記ペイロードにおけるコードワードの数、
前記ペイロードがユニキャストまたはマルチキャストであるかどうかに関するインジケーション、
前記ペイロードを送信するために使用される送信アンテナポートの数、
前記ペイロードにおけるデータのために使用されるスクランブリングシーケンス、
前記ペイロードにおける巡回冗長検査（ＣＲＣ）フィールドのために使用されるスクランブリングシーケンス、または
これらの組み合わせ、
のうちの少なくとも１つを含む、請求項１に記載の方法。
【請求項４】
前記受信されたペイロードの前記基準信号に関連付けられる前記特性を前記識別することは、前記ペイロード内の基準信号を搬送するリソース要素の数を決定することを備え、
前記ペイロード構造を前記決定することは、前記ペイロード内の前記基準信号を搬送する前記リソース要素の前記決定された数に基づいて、前記ペイロードに関連付けられる変調オーダまたはコーディングレートのうちの少なくとも１つを決定することを備える、
請求項１に記載の方法。
【請求項５】
前記受信されたペイロードの前記基準信号に関連付けられる前記特性を前記識別することは、前記ペイロードのトラフィック対パイロット比を決定することを備え、
前記ペイロード構造を前記決定することは、
前記決定されたトラフィック対パイロット比に基づいて、
変調オーダ、
コーディングレート、
コードワードの数、
前記ペイロードに関連付けられる送信ランク、または
これらの組み合わせ、
のうちの少なくとも１つを決定することを備える、請求項１に記載の方法。
【請求項６】
前記受信されたペイロードの前記基準信号に関連付けられる前記特性を前記識別することは、同じプリコーディングを有するバンドルされたリソースブロックペアの数を決定することを備え、
前記ペイロード構造を前記決定することは、前記同じプリコーディングを有するバンドルされたリソースブロックペアの前記決定された数に基づいて、変調オーダまたはコーディングレートのうちの少なくとも１つを決定することを備える、
請求項１に記載の方法。
【請求項７】
前記特性は、前記ペイロードの基準信号構造を含み、前記ペイロード構造を前記決定することは、変調オーダを決定することを備え、前記方法は、
前記決定された変調オーダに基づいてトラフィック対パイロット比を決定することと、
前記決定されたトラフィック対パイロット比に基づいてチャネル状態情報を決定することと、
サービング発展型ノードＢ（ｅＮＢ）に前記決定されたチャネル状態情報を送ることと
をさらに備える、請求項１に記載の方法。
【請求項８】
請求項１乃至７のいずれかに従う方法を実行するための命令を備える、コンピュータプログラム。
【請求項９】
ワイヤレス通信のための装置であって、
ユーザ機器（ＵＥ）において、受信されたペイロード内の基準信号を搬送するリソース要素の数を決定することによって前記ペイロードの前記基準信号に関連付けられる特性を識別するための手段と、
前記ＵＥにおいて、前記受信されたペイロードの前記基準信号に関連付けられる前記識別された特性に基づいてペイロード構造を決定するための手段と、
前記ＵＥにおいて、前記決定されたペイロード構造に基づいて、前記受信されたペイロードを復号するための手段と
を備える装置。
【請求項１０】
基準信号に関連付けられる特性と、ペイロード構造との間のマッピングを示すマッピング情報を受信するための手段をさらに備え、ここにおいて、前記ペイロード構造は、前記受信されたマッピング情報にさらに基づいて決定される、請求項９に記載の装置。
【請求項１１】
前記ペイロード構造は、
前記ペイロードに関連付けられる変調オーダ、
前記ペイロードに関連付けられるコーディングレート、
前記ペイロードがデータまたは制御情報を含むかどうかに関するインジケーション、
前記ペイロードを搬送する制御チャネルのタイプ、
前記ペイロードを搬送するデータチャネルのタイプ、
前記ペイロードが畳み込み符号化またはターボ符号化されたかどうかに関するインジケーション、
前記ペイロードのトラフィック対パイロット比、
前記ペイロードの送信ランク、
前記ペイロードにおけるコードワードの数、
前記ペイロードがユニキャストまたはマルチキャストであるかどうかに関するインジケーション、
前記ペイロードを送信するために使用される送信アンテナポートの数、
前記ペイロードにおけるデータのために使用されるスクランブリングシーケンス、
前記ペイロードにおける巡回冗長検査（ＣＲＣ）フィールドのために使用されるスクランブリングシーケンス、または
これらの組み合わせ、
のうちの少なくとも１つを含む、請求項９に記載の装置。
【請求項１２】
前記受信されたペイロードの前記基準信号に関連付けられる前記特性を識別するための前記手段は、前記ペイロード内の基準信号を搬送するリソース要素の数を決定するように構成され、
前記ペイロード構造を決定するための前記手段は、前記ペイロード内の前記基準信号を搬送する前記リソース要素の前記決定された数に基づいて、前記ペイロードに関連付けられる変調オーダまたはコーディングレートのうちの少なくとも１つを決定するように構成される、
請求項９に記載の装置。
【請求項１３】
前記受信されたペイロードの前記基準信号に関連付けられる前記特性を識別するための前記手段は、前記ペイロードのトラフィック対パイロット比を決定するように構成され、
前記ペイロード構造を決定するための前記手段は、
前記決定されたトラフィック対パイロット比に基づいて、
変調オーダ、
コーディングレート、
コードワードの数、
前記ペイロードに関連付けられる送信ランク、または
これらの組み合わせ、
のうちの少なくとも１つを決定するように構成される、請求項９に記載の装置。
【請求項１４】
前記受信されたペイロードの前記基準信号に関連付けられる前記特性を識別するための前記手段は、同じプリコーディングを有するバンドルされたリソースブロックペアの数を決定するように構成され、
前記ペイロード構造を決定するための前記手段は、前記同じプリコーディングを有するバンドルされたリソースブロックペアの前記決定された数に基づいて、変調オーダまたはコーディングレートのうちの少なくとも１つを決定するように構成される、
請求項９に記載の装置。
【請求項１５】
前記特性は、前記ペイロードの基準信号構造を含み、前記ペイロード構造を決定するための前記手段は、変調オーダを決定するように構成され、前記装置は、
前記決定された変調オーダに基づいてトラフィック対パイロット比を決定するための手段と、
前記決定されたトラフィック対パイロット比に基づいてチャネル状態情報を決定するための手段と、
サービング発展型ノードＢ（ｅＮＢ）に前記決定されたチャネル状態情報を送るための手段と
をさらに備える、請求項９に記載の装置。
【手続補正２】
【補正対象書類名】明細書
【補正対象項目名】００７２
【補正方法】変更
【補正の内容】
【００７２】
[0084]先の説明は、いかなる当業者であっても、ここに説明された様々な態様を実現することを可能にするように提供される。これらの態様への様々な修正は、当業者にとって容易に明らかとなり、ここに定義された一般的な原理は、他の態様に適用されうる。したがって、特許請求の範囲は、ここに示された態様に限定されることを意図するものではなく、特許請求の範囲における文言と一致する全範囲を付与されるべきものであり、単数形での要素への言及は、そうであるとの明確な記載がない限り、「１つ、および１つのみ」を意味することは意図せず、「１つまたは複数」を意味するものとする。「例示的（exemplary）」という用語は、ここで「例、実例、または例示を提供する」という意味で用いられる。「例示的」なものとしてここに説明される任意の態様は、必ずしも、他の態様よりも好ましいまたは有利であるようには解釈されるべきでない。別段に明記されていない限り、「いくつかの」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含むことができる。特に、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであることができ、ここで、任意のこのような組み合わせは、Ａ、Ｂ、またはＣの１つまたは複数のメンバーを含むことができる。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図される。さらに、ここに開示されたものは何れも、このような開示が特許請求の範囲において明記されているかどうかにかかわらず、公衆に放棄されるようには意図されていない。要素が「〜のための手段」という表現を使用して明記されていない限り、どの請求項の要素もミーンズプラスファンクションとして解釈されるべきではない。
以下に、本願出願の当初の特許請求の範囲に記載された発明を付記する。
［Ｃ１］
ワイヤレス通信の方法であって、
受信されたペイロードの基準信号に関連付けられる特性を識別することと、
前記識別された特性に基づいてペイロード構造を決定することと、
前記決定されたペイロード構造に基づいて、前記受信されたペイロードを復号することと
を備える方法。
［Ｃ２］
基準信号に関連付けられる特性と、ペイロード構造との間のマッピングを示すマッピング情報を受信することをさらに備え、ここにおいて、前記ペイロード構造は、前記受信されたマッピング情報にさらに基づいて決定される、Ｃ１に記載の方法。
［Ｃ３］
前記マッピング情報は、ブロードキャストまたは無線リソース制御（ＲＲＣ）シグナリングのうちの１つを通じて受信される、Ｃ２に記載の方法。
［Ｃ４］
前記特性は、
前記ペイロードの基準信号構造、
前記ペイロードのトラフィック対パイロット比、または
これらの組み合わせ、
のうちの少なくとも１つを含み、
前記基準信号構造は、
前記ペイロード内の基準信号を搬送するリソース要素の数、
前記ペイロード内の前記基準信号を搬送するリソース要素の位置、
前記ペイロード内の前記基準信号において受信されるシーケンス、
前記ペイロード内の同じプリコーディングを有するバンドルされたリソースブロックペアの数、または
これらの組み合わせ、
のうちの少なくとも１つを含む、Ｃ１に記載の方法。
［Ｃ５］
前記ペイロード構造は、
前記ペイロードに関連付けられる変調オーダ、
前記ペイロードに関連付けられるコーディングレート、
前記ペイロードがデータまたは制御情報を含むかどうかに関するインジケーション、
前記ペイロードを搬送する制御チャネルのタイプ、
前記ペイロードを搬送するデータチャネルのタイプ、
前記ペイロードが畳み込み符号化またはターボ符号化されたかどうかに関するインジケーション、
前記ペイロードのトラフィック対パイロット比、
前記ペイロードの送信ランク、
前記ペイロードにおけるコードワードの数、
前記ペイロードがユニキャストまたはマルチキャストであるかどうかに関するインジケーション、
前記ペイロードを送信するために使用される送信アンテナポートの数、
前記ペイロードにおけるデータのために使用されるスクランブリングシーケンス、
前記ペイロードにおける巡回冗長検査（ＣＲＣ）フィールドのために使用されるスクランブリングシーケンス、または
これらの組み合わせ、
のうちの少なくとも１つを含む、Ｃ１に記載の方法。
［Ｃ６］
前記受信されたペイロードの前記基準信号に関連付けられる前記特性を前記識別することは、前記ペイロード内の基準信号を搬送するリソース要素の数を決定することを備え、
前記ペイロード構造を前記決定することは、前記ペイロード内の前記基準信号を搬送する前記リソース要素の前記決定された数に基づいて、前記ペイロードに関連付けられる変調オーダまたはコーディングレートのうちの少なくとも１つを決定することを備える、
Ｃ１に記載の方法。
［Ｃ７］
前記基準信号は、基準信号を搬送することが知られているリソース要素の第１のセットおよびデータを搬送することが知られているリソース要素の第２のセットにおいて受信される、Ｃ６に記載の方法。
［Ｃ８］
前記ペイロード構造を前記決定することは、前記ペイロード内の前記基準信号を搬送する前記リソース要素の前記決定された数に基づいて、前記ペイロードに関連付けられる送信ランクを決定することをさらに備える、Ｃ６に記載の方法。
［Ｃ９］
前記受信されたペイロードの前記基準信号に関連付けられる前記特性を前記識別することは、前記ペイロードのトラフィック対パイロット比を決定することを備え、
前記ペイロード構造を前記決定することは、
前記決定されたトラフィック対パイロット比に基づいて、
変調オーダ、
コーディングレート、
コードワードの数、
前記ペイロードに関連付けられる送信ランク、または
これらの組み合わせ、
のうちの少なくとも１つを決定することを備える、Ｃ１に記載の方法。
［Ｃ１０］
前記受信されたペイロードの前記基準信号に関連付けられる前記特性を前記識別することは、同じプリコーディングを有するバンドルされたリソースブロックペアの数を決定することを備え、
前記ペイロード構造を前記決定することは、前記同じプリコーディングを有するバンドルされたリソースブロックペアの前記決定された数に基づいて、変調オーダまたはコーディングレートのうちの少なくとも１つを決定することを備える、
Ｃ１に記載の方法。
［Ｃ１１］
前記特性は、前記ペイロードの基準信号構造を含み、前記ペイロード構造を前記決定することは、変調オーダを決定することを備え、前記方法は、
前記決定された変調オーダに基づいてトラフィック対パイロット比を決定することと、
前記決定されたトラフィック対パイロット比に基づいてチャネル状態情報を決定することと、
サービング発展型ノードＢ（ｅＮＢ）に前記決定されたチャネル状態情報を送ることと
をさらに備える、Ｃ１に記載の方法。
［Ｃ１２］
ワイヤレス通信のための装置であって、
受信されたペイロードの基準信号に関連付けられる特性を識別するための手段と、
前記識別された特性に基づいてペイロード構造を決定するための手段と、
前記決定されたペイロード構造に基づいて、前記受信されたペイロードを復号するための手段と
を備える装置。
［Ｃ１３］
基準信号に関連付けられる特性と、ペイロード構造との間のマッピングを示すマッピング情報を受信するための手段をさらに備え、ここにおいて、前記ペイロード構造は、前記受信されたマッピング情報にさらに基づいて決定される、Ｃ１２に記載の装置。
［Ｃ１４］
前記マッピング情報は、ブロードキャストまたは無線リソース制御（ＲＲＣ）シグナリングのうちの１つを通じて受信される、Ｃ１３に記載の装置。
［Ｃ１５］
前記特性は、
前記ペイロードの基準信号構造、
前記ペイロードのトラフィック対パイロット比、または
これらの組み合わせ、
のうちの少なくとも１つを含み、
前記基準信号構造は、
前記ペイロード内の基準信号を搬送するリソース要素の数、
前記ペイロード内の前記基準信号を搬送するリソース要素の位置、
前記ペイロード内の前記基準信号において受信されるシーケンス、
前記ペイロード内の同じプリコーディングを有するバンドルされたリソースブロックペアの数、または
これらの組み合わせ、
のうちの少なくとも１つを含む、Ｃ１２に記載の装置。
［Ｃ１６］
前記ペイロード構造は、
前記ペイロードに関連付けられる変調オーダ、
前記ペイロードに関連付けられるコーディングレート、
前記ペイロードがデータまたは制御情報を含むかどうかに関するインジケーション、
前記ペイロードを搬送する制御チャネルのタイプ、
前記ペイロードを搬送するデータチャネルのタイプ、
前記ペイロードが畳み込み符号化またはターボ符号化されたかどうかに関するインジケーション、
前記ペイロードのトラフィック対パイロット比、
前記ペイロードの送信ランク、
前記ペイロードにおけるコードワードの数、
前記ペイロードがユニキャストまたはマルチキャストであるかどうかに関するインジケーション、
前記ペイロードを送信するために使用される送信アンテナポートの数、
前記ペイロードにおけるデータのために使用されるスクランブリングシーケンス、
前記ペイロードにおける巡回冗長検査（ＣＲＣ）フィールドのために使用されるスクランブリングシーケンス、または
これらの組み合わせ、
のうちの少なくとも１つを含む、Ｃ１２に記載の装置。
［Ｃ１７］
前記受信されたペイロードの前記基準信号に関連付けられる前記特性を識別するための前記手段は、前記ペイロード内の基準信号を搬送するリソース要素の数を決定するように構成され、
前記ペイロード構造を決定するための前記手段は、前記ペイロード内の前記基準信号を搬送する前記リソース要素の前記決定された数に基づいて、前記ペイロードに関連付けられる変調オーダまたはコーディングレートのうちの少なくとも１つを決定するように構成される、
Ｃ１２に記載の装置。
［Ｃ１８］
前記基準信号は、基準信号を搬送することが知られているリソース要素の第１のセットおよびデータを搬送することが知られているリソース要素の第２のセットにおいて受信される、Ｃ１７に記載の装置。
［Ｃ１９］
前記ペイロード構造を決定するための前記手段は、前記ペイロード内の前記基準信号を搬送する前記リソース要素の前記決定された数に基づいて、前記ペイロードに関連付けられる送信ランクを決定するように構成される、Ｃ１７に記載の装置。
［Ｃ２０］
前記受信されたペイロードの前記基準信号に関連付けられる前記特性を識別するための前記手段は、前記ペイロードのトラフィック対パイロット比を決定するように構成され、
前記ペイロード構造を決定するための前記手段は、
前記決定されたトラフィック対パイロット比に基づいて、
変調オーダ、
コーディングレート、
コードワードの数、
前記ペイロードに関連付けられる送信ランク、または
これらの組み合わせ、
のうちの少なくとも１つを決定するように構成される、Ｃ１２に記載の装置。
［Ｃ２１］
前記受信されたペイロードの前記基準信号に関連付けられる前記特性を識別するための前記手段は、同じプリコーディングを有するバンドルされたリソースブロックペアの数を決定するように構成され、
前記ペイロード構造を決定するための前記手段は、前記同じプリコーディングを有するバンドルされたリソースブロックペアの前記決定された数に基づいて、変調オーダまたはコーディングレートのうちの少なくとも１つを決定するように構成される、
Ｃ１２に記載の装置。
［Ｃ２２］
前記特性は、前記ペイロードの基準信号構造を含み、前記ペイロード構造を決定するための前記手段は、変調オーダを決定するように構成され、前記装置は、
前記決定された変調オーダに基づいてトラフィック対パイロット比を決定するための手段と、
前記決定されたトラフィック対パイロット比に基づいてチャネル状態情報を決定するための手段と、
サービング発展型ノードＢ（ｅＮＢ）に前記決定されたチャネル状態情報を送るための手段と
をさらに備える、Ｃ１２に記載の装置。
［Ｃ２３］
ワイヤレス通信の装置であって、
受信されたペイロードの基準信号に関連付けられる特性を識別し、
前記識別された特性に基づいてペイロード構造を決定し、
前記決定されたペイロード構造に基づいて、前記受信されたペイロードを復号する
ように構成された処理システム、
を備える装置。
［Ｃ２４］
前記処理システムは、基準信号に関連付けられる特性と、ペイロード構造との間のマッピングを示すマッピング情報を受信するようにさらに構成され、ここにおいて、前記ペイロード構造は、前記受信されたマッピング情報にさらに基づいて決定される、Ｃ２３に記載の装置。
［Ｃ２５］
前記特性は、
前記ペイロードの基準信号構造、
前記ペイロードのトラフィック対パイロット比、または
これらの組み合わせ、
のうちの少なくとも１つを含み、
前記基準信号構造は、
前記ペイロード内の基準信号を搬送するリソース要素の数、
前記ペイロード内の前記基準信号を搬送するリソース要素の位置、
前記ペイロード内の前記基準信号において受信されるシーケンス、
前記ペイロード内の同じプリコーディングを有するバンドルされたリソースブロックペアの数、または
これらの組み合わせ、
のうちの少なくとも１つを含む、Ｃ２３に記載の装置。
［Ｃ２６］
前記ペイロード構造は、
前記ペイロードに関連付けられる変調オーダ、
前記ペイロードに関連付けられるコーディングレート、
前記ペイロードがデータまたは制御情報を含むかどうかに関するインジケーション、
前記ペイロードを搬送する制御チャネルのタイプ、
前記ペイロードを搬送するデータチャネルのタイプ、
前記ペイロードが畳み込み符号化またはターボ符号化されたかどうかに関するインジケーション、
前記ペイロードのトラフィック対パイロット比、
前記ペイロードの送信ランク、
前記ペイロードにおけるコードワードの数、
前記ペイロードがユニキャストまたはマルチキャストであるかどうかに関するインジケーション、
前記ペイロードを送信するために使用される送信アンテナポートの数、
前記ペイロードにおけるデータのために使用されるスクランブリングシーケンス、
前記ペイロードにおける巡回冗長検査（ＣＲＣ）フィールドのために使用されるスクランブリングシーケンス、または
これらの組み合わせ、
のうちの少なくとも１つを含む、Ｃ２３に記載の装置。
［Ｃ２７］
前記処理システムは、前記ペイロード内の基準信号を搬送するリソース要素の数を決定することによって、前記受信されたペイロードの前記基準信号に関連付けられる前記特性を識別するように構成され、
前記処理システムは、前記ペイロード内の前記基準信号を搬送する前記リソース要素の前記決定された数に基づいて、前記ペイロードに関連付けられる変調オーダまたはコーディングレートのうちの少なくとも１つを決定することによって、前記ペイロード構造を決定するように構成される、
Ｃ２３に記載の装置。
［Ｃ２８］
前記処理システムは、前記ペイロードのトラフィック対パイロット比を決定することによって、前記受信されたペイロードの前記基準信号に関連付けられる前記特性を識別するように構成され、
前記処理システムは、
前記決定されたトラフィック対パイロット比に基づいて、
変調オーダ、
コーディングレート、
コードワードの数、
前記ペイロードに関連付けられる送信ランク、または
これらの組み合わせ、
のうちの少なくとも１つを決定することによって、前記ペイロード構造を決定するように構成される、Ｃ２３に記載の装置。
［Ｃ２９］
前記処理システムは、同じプリコーディングを有するバンドルされたリソースブロックペアの数を決定することによって、前記受信されたペイロードの前記基準信号に関連付けられる前記特性を識別するように構成され、
前記処理システムは、前記同じプリコーディングを有するバンドルされたリソースブロックペアの前記決定された数に基づいて、変調オーダまたはコーディングレートのうちの少なくとも１つを決定することによって、前記ペイロード構造を決定するように構成される、
Ｃ２３に記載の装置。
［Ｃ３０］
受信されたペイロードの基準信号に関連付けられる特性を識別することと、
前記識別された特性に基づいてペイロード構造を決定することと、
前記決定されたペイロード構造に基づいて、前記受信されたペイロードを復号することと
を行うためのコードを備えるコンピュータ可読媒体、
を備えるコンピュータプログラム製品。